(57)【要約】【課題】取付対象に対して帯状体を着脱可能に取り付ける場合に、簡易な構成により、取付対象に対する帯状体の取付位置の調節を可能とする。【解決手段】リュックサック１の背面１ａに対して着脱可能に取り付けられる連結ベルト５の取付構造において、リュックサックには梯子状部材３が設けられる一方、連結ベルトにはバックル６が設けられ、バックル６を梯子状部材３の複数の横桟（棒状体Ｒ）に選択的に連結可能な構成とした。【選択図】図１
2010046329.tif 000002
【特許請求の範囲】
【請求項１】
取付対象に対して着脱可能に取り付けられる帯状体の取付構造であって、
前記取付対象と前記帯状体とのいずれか一方には、係合手段が設けられ、
前記取付対象と前記帯状体とのいずれか他方には、前記係合手段が複数の位置で係合可能な被係合手段が設けられたことを特徴とする帯状体の取付構造。
【請求項２】
前記被係合手段は、前記係合手段が選択的に係合可能な複数の棒状体または索状体を有することを特徴とする、請求項１に記載の帯状体の取付構造。
【請求項３】
前記被係合手段は、梯子状を呈し、その横桟に対して前記係合手段が係合可能であることを特徴とする、請求項１または請求項２に記載の帯状体の取付構造。
【請求項４】
前記被係合手段は、格子状を呈し、その縦桟または横桟に対して前記係合手段が係合可能であることを特徴とする、請求項１または請求項２に記載の帯状体の取付構造。
【請求項５】
前記被係合手段は、互いに異なる位置に配置され、かつ前記係合手段が係合可能な複数のループ状部材を有することを特徴とする、請求項１または請求項２に記載の帯状体の取付構造。
【請求項６】
前記係合手段は、前記被係合手段に係合するフックまたはクランプを有することを特徴とする、請求項１〜請求項５のいずれかに記載の帯状体の取付構造。
【請求項７】
請求項１〜請求項６のいずれかに記載の帯状体の取付構造を備えた袋物。
【発明の詳細な説明】
【技術分野】
【０００１】
本発明は、取付対象に対して着脱可能に取り付けられる帯状体の取付構造及びこれを備えた袋物に関する。
【背景技術】
【０００２】
リュックサック等では、使用者に対する密着性の向上や収容物の移動・片寄り防止などのために、帯状体（ベルト、テープ等）を用いたショルダベルト、サイドコンプレッションおよびチェストストラップ等を備えるのが一般的である。リュックサック本体に対する帯状体の取付構造としては、帯状体を直接縫い付けたものや、所定の連結具（バックル等）を介して帯状体を着脱自在に取り付けたものが知られている。
【０００３】
帯状体を着脱自在に取り付ける構造としては、例えば、リュックサック本体に固定された第１バックル手段と、ショルダベルトに固定され、第１バックル手段に着脱可能に設けられた第２バックル手段とを備えた取付構造が知られている（特許文献１参照）。この従来技術によれば、第２バックル手段を備えた１つのショルダベルトを、第１バックル手段を備えた複数種類のリュックサック本体に取り付ける（即ち、ショルダベルトを共用とする）ことが可能となるため、使用者は、リュックサックのサイズ変更等を低コストで行うことができるという利点がある。
【０００４】
【特許文献１】米国特許第６３８２４８９号公報
【発明の開示】
【発明が解決しようとする課題】
【０００５】
ところで、本願発明者らは、鋭意検討の結果、リュックサックのショルダベルト等において帯状体の取付位置を調節（変更）可能とすることで、使用者に対する密着性の向上や収容物の移動・片寄り防止などの機能を飛躍的に高め、トップアルピニスト等の高い要求にも応えられることを見出した。しかしながら、上記従来技術は、単にリュックサック本体に対してショルダベルトを同じ位置で着脱可能とするに留まり、ショルダベルトの取付位置を調節することはできなかった。
【０００６】
本発明は、このような従来技術の課題を鑑みて案出されたものであり、取付対象に対して帯状体を着脱可能に取り付ける場合に、簡易な構成により、取付対象に対する帯状体の取付位置の調節を可能とする帯状体の取付構造及びこれを備えた袋物を提供することを目的とする。
【課題を解決するための手段】
【０００７】
上記課題を解決するためになされた第１の発明は、取付対象（１ａ）に対して着脱可能に取り付けられる帯状体（５）の取付構造であって、前記取付対象と前記帯状体とのいずれか一方には、係合手段（６，３１）が設けられ、前記取付対象と前記帯状体とのいずれか他方には、前記係合手段が複数の位置で係合可能な被係合手段が設けられた構成とする。
【０００８】
上記課題を解決するためになされた第２の発明は、前記被係合手段が、前記係合手段が選択的に係合可能な複数の棒状体または索状体を有する構成とすることができる。
【０００９】
上記課題を解決するためになされた第３の発明は、前記被係合手段（３，４）が、梯子状を呈し、その横桟に対して前記係合手段が係合可能である構成とすることができる。
【００１０】
上記課題を解決するためになされた第４の発明は、前記被係合手段（５１）が、格子状を呈し、その縦桟または横桟に対して前記係合手段が係合可能である構成とすることができる。
【００１１】
上記課題を解決するためになされた第５の発明は、前記被係合手段（４１）が、互いに異なる位置に配置され、かつ前記係合手段が係合可能な複数のループ状部材を有する構成とすることができる。
【００１２】
上記課題を解決するためになされた第６の発明は、前記係合手段が、前記被係合手段に係合するフックまたはクランプを有する構成とすることができる。
【００１３】
上記課題を解決するためになされた第７の発明は、上記第１〜第６の発明のいずれかに係る帯状体の取付構造を備えた袋物（１）である。
【発明の効果】
【００１４】
上記第１の発明によれば、係合手段は被係合手段に対して複数の位置で選択的に係合可能となるため、簡易な構成により、取付対象に対する帯状体の取付位置を調節することができる。上記第２の発明によれば、簡易な構成により被係合手段を実現することができ、被係合手段の構造や配置の自由度が高まる。上記第３の発明によれば、複数の被係合手段を一体的かつコンパクトに構成することができる。上記第４の発明によれば、  数の被係合手段を一体的かつコンパクトに構成することができる。上記第５の発明によれば、複数の位置で係合可能な被係合手段を容易に実現することができる。上記第６の発明によれば、係合手段を簡易な構成により実現することができる。上記第７の発明によれば、ショルダベルト等に取付位置を調節可能な構造を用いることで、長さや位置調節を容易に行うことが可能となり、その機能（例えば、使用者に対する密着性の向上や収容物の移動・片寄り防止などの機能）を大幅に向上させることができる。
【発明を実施するための最良の形態】
【００１５】
以下、本発明の実施の形態について図面を参照しながら説明する。
【００１６】
図１は本発明の第１実施形態に係る帯状体の取付構造を備えたリュックサックの構成を示す斜視図であり、図２は図１のリュックサックのトップストラップに設けられたバックルの斜視図であり、図３はバックルの断面図である。
【００１７】
リュックサック（袋物）１は、その背面（取付対象）１ａに上下端が縫いつけられた左右一対のショルダベルト２を備えている。リュックサックの背面１ａ上部と、ショルダベルト２の外面側の中間部には、それぞれ左右一対の樹脂製の梯子状部材（被係合手段）３，４が取り付けられている。ショルダベルト２には、連結ベルト５（帯状体）の両端にバックル（係合手段）６を備えたトップストラップ７が付設されており、このトップストラップ７によって梯子状部材３，４が互いに連結されている。
【００１８】
バックル６は、軸部材や管部材などの棒状体（または紐やケーブルなどの索状体）とベルトやテープなどの帯状体との連結に供されるものであり、梯子状部材３，４の各横桟部を形成する棒状体Ｒを取り付け可能な左右一対のクランプ部１１と、連結ベルト５を取り付け可能なベルト取付部１２とが合成樹脂材料により一体成形されている。
【００１９】
クランプ部１１は、それぞれ略Ｃ字状断面を呈し、開口端１３ａから挿入された棒状体Ｒを弾性的に保持する保持開口１３を有している。クランプ部１１は、開口端１３ａが互いに前後方向に逆向きになるように配置されている。棒状体Ｒをクランプ部１１に取り付ける際には、図４（Ａ）に示すように、略前後方向に軸を向けた棒状体Ｒの中間部を左右のクランプ部１１間の溝１４に差し込み、この溝１４を中心として棒状体Ｒを各クランプ部１１の保持開口１３に向けて所定方向（矢印方向）に回動させる。これにより、棒状体Ｒは、保持開口１３に挿入され、図４（Ｂ）に示すように、保持開口１３内に保持される。
【００２０】
ベルト取付部１２は連結ベルト５が挿通される開口２１を有しており、この開口２１を左右に横切るように設けられたクロスバー２２には、図３に示すように、連結ベルト５が折り返されるようにして巻き掛けられる。このとき、連結ベルト５は、その固定端側５ａが下方に引っ張られることで、その内側の自由端側５ｂが折り曲げられた状態でバックル６の舌片状部２３の後端縁２３ａに対して押し付けられ、これにより、舌片状部２３やクロスバー２２との間の摩擦力によって強固に固定される。また、連結ベルト５は、開口２１からの自由端側５ｂの引き出し長さを調節することで、固定端側５ａの長さ（連結ベルト５の有効長さ）を変更可能となっている。
【００２１】
上記構成を有するリュックサック１のショルダベルト２においては、トップストラップ７のバックル６が取り付けられる棒状体Ｒ（即ち、取付位置）を変更することができ、これにより、ショルダベルト２の有効長さや支持形態を変更することが可能となる。例えば、図５に示すように、リュックサック１の上部に比較的重い収容物Ｌを詰める場合、リュックサック上部が後方に引き下げられることで、使用者は後方に引っ張られるような感覚を持ち、多大な疲労感が生じる場合がある。そこで、リュックサック１およびショルダベルト２に対するトップストラップ７の取付位置を、収容物Ｌの量および配置ならびに使用者の体型（肩幅等）などに応じて調節（即ち、適切な位置の棒状体Ｒを適宜選択）することができる。この場合、図５中の二点鎖線で示すように、リュックサック１の背面１ａに対するトップストラップ７の角度θを最適な値（例えば、４５度）に変更するとよい。これにより、ショルダベルト２の性能を大幅に向上させることが可能となる。
【００２２】
図６は図１のリュックサックにおけるトップストラップの変更例を示す斜視図である。以下で特に言及しない事項については、上述の場合と同様とする。
【００２３】
トップストラップ７は、上記バックル６の代わりに、連結ベルト５の両端になす環３１を備えた構成とする。なす環３１は、棒状体Ｒに係合可能なフック３２と、ベルト５を取り付け可能なベルト取付環３３とを有しており、これらは連結機構３４によって相対回転可能に連結されている。フック３２の基端側には、フック３２の開口を閉止する閉止片３５が支持されている。閉止片３５は、通常、その先端部がフック３２の先端部の内側に当接することで開口を閉止した状態にある。棒状体Ｒをフック３２に取り付ける際には、使用者は、閉止片３５を弾性変形させてその先端部を内側に変位させることで、棒状体Ｒをフック３２の開口から挿入することができる。
【００２４】
図７は本発明の第２実施形態に係る帯状体の取付構造を備えたリュックサックの構成を示す斜視図である。以下で特に言及しない事項については、上述の第１実施形態の場合と同様とする。
【００２５】
両ショルダベルト５２の内側の縁部には、化学繊維を撚り合わせて形成された左右に対をなすループ部材４１が高さ方向に複数組連ねられるように設けられている。各ループ部材４１は上述のバックル６を連結可能な比較的軟質の索状体を形成する。これにより、左右一対のループ部材４１は、連結ベルト５（帯状体）の両端にバックル（係合手段）６を備えたチェストストラップ４２によって連結可能ととなる。使用者は、荷物の量および配置や使用者の体型などに応じてチェストストラップ４２の取付位置の調節（ここでは、高さの変更）や長さの変更を行うことができる。
【００２６】
図８は本発明の第３実施形態に係る帯状体の取付構造を備えたリュックサックの構成を示す斜視図である。以下で特に言及しない事項については、上述の第１実施形態の場合と同様とする。
【００２７】
リュックサック１は、側面（取付対象）１ｂの前後に対をなすエラストマ製の格子状部材５１が高さ方向に所定間隔をおいて複数組配置されている。これら格子状部材５１の周縁（縦桟および横桟）は上述のバックル６を連結可能な棒状体Ｒを形成する。これにより、前後一対の格子状部材５１は、連結ベルト５（帯状体）の両端にバックル（係合手段）６を備えたサイドコンプレッション５２によって連結可能ととなる。使用者は、荷物の量および配置や使用者の体型などに応じてサイドコンプレッション５２の取付位置の変更（ここでは、高さの変更）や長さの変更を行うことができる。
【００２８】
本発明を特定の実施形態に基づいて詳細に説明したが、これらの実施形態はあくまでも例示であって本発明はこれらの実施形態によって限定されるものではない。例えば、上記実施形態では、連結ベルト（帯状体）の両端にバックルまたはなす環（係合手段）を設ける一方、リュックサックの背面または側面（取付対象）に棒状体または索状体を設ける構成としたが、連結ベルトの両端に棒状体または索状体を設ける一方、リュックサックの背面または側面にバックルまたはなす環を設けてもよい。棒状体や索状体を有する被係合手段は、上記梯子状部材、ループ部材、および格子状部材に限らず、その形状および材質を帯状体の取付態様に応じて適宜変更することが可能である。また、係合手段としては、上記バックルやなす環に限らず、棒状体に係合可能な周知の連結具を用いることができる。さらに、本発明を適用可能な袋物は、リュックサックに限らず、物を入れて持ち運ぶために用いられ、連結具を介して着脱可能に設けられたベルト等を有する任意の袋状の用具でよい。
【図面の簡単な説明】
【００２９】
【図１】本発明の第１実施形態に係るリュックサックの構成を示す斜視図
【図２】図１のリュックサックに設けられたバックルの斜視図
【図３】図１のリュックサックに設けられたバックルの断面図
【図４】図２のバックルに棒状体を取り付ける一連の動作を示す図
【図５】図１のリュックサックにおけるショルダベルトの位置調節方法を示す模式図
【図６】図１のリュックサックにおけるトップストラップの変更例を示す斜視図
【図７】本発明の第２実施形態に係るリュックサックの構成を示す斜視図
【図８】本発明の第３実施形態に係るリュックサックの構成を示す斜視図
【符号の説明】
【００３０】
１  リュックサック
１ａ  背面
１ｂ  側面
２  ショルダベルト
３，４  梯子状部材（被係合手段）
５  連結ベルト（帯状体）
６  バックル（係合手段）
７  トップストラップ
１１  クランプ部
１２  ベルト取付部
１３  保持開口
１３ａ  開口端
１４  溝
２２  クロスバー
３１  なす環
３２  フック
３３  ベルト取付環
４１  ループ（索状体）
４２  チェストストラップ
５１  格子状部材
５２  サイドコンプレッション
Ｌ  収容物
Ｒ  棒状体
【図１】
2010046329.tif 000003
【図２】
2010046329.tif 000004
【図３】
2010046329.tif 000005
【図４】
2010046329.tif 000006
【図５】
2010046329.tif 000007
【図６】
2010046329.tif 000008
【図７】
2010046329.tif 000009
【図８】
2010046329.tif 000010